(57)【特許請求の範囲】
【請求項１】
アウターメンバとインナーメンバとボールとからなる扉等を懸架する吊下げ型スライドレールにおいて、複数のボールを誘導する上部溝と下部溝の２本の溝を両側面にそれぞれ凹設した直方体のインナーメンバと、該インナーメンバの前後両端に配置され上部溝から前記下部溝へ若しくは前記下部溝から前記上部溝へボールを１８０度変換誘導する円弧状の溝を凹設した誘導部と、前記上部溝と前記下部溝と前記円弧状の溝に配置する複数のボールと、前記インナーメンバからボールが離脱することを防止するために下部がインナーメンバ内側に曲げられている矩形の平板と、からなることを特徴とするインナー可動部
【請求項２】
前記インナーメンバの下部溝は、ボールがアウターメンバに当接して動作するように前記インナーメンバの下部の両角に凹設したことを特徴とする請求項１記載のインナ可動部。
【請求項３】
前記ボールは、スムーズに動作するように金属製のボールと樹脂製のボールを交互に配置したことを特徴とする請求項１記載のインナ可動部
【請求項４】
吊下げ型スライドレールが、アウターメンバと、複数のボールと、複数のボールを装着する上下部溝が両側面に凹設された直方体のインナーメンバおよび上部溝と下部溝とを連結する誘導部とから構成されるインナー可動部と、からなることを特徴とするとインナー可動部を装備したスライドレール
【発明の詳細な説明】
【０００１】
【発明の属する技術分野】
本発明は、引き扉を懸架するために装着されるスライドレールのインナー可動部およびそれを装備したスライドレールに関し、特にインナーメンバの両側面の上部および下部に上部溝と下部溝を凹設し多数のボールを溝に配置して全体の側面を平板で留めた構成のインナ可動部およびそれを利用したスライドレールに関する。
【０００２】
【従来の技術】
引き扉等を吊り下げる形式のスライドレールは主に家庭用や軽量の精密機械、及び扉等に使用されてきた。主に構成は、アウターメンバ（固定側）と、インナーメンバ（移動側）と、ボールと、アウターメンバとインナーメンバの間にボールを装着してスムーズなスライド動作が出来るようにするボールリテーナとからなる構成であった。従来のスライドレールを縦に垂直に応用した構成であり、スライドレールの下方のレールにだけ荷重がかかり、片減りする欠点があった。また、従来のスライドレールを水平に使用した構成も考えられるが、アウターメンバのボール保持部が強化された構造ではないので、重い荷重には耐えられない欠点があった。
【０００３】
また、抽斗等のスライドレールとして、図５に示すようなボールを楕円形凸部の周囲に隙間なく周回配置した移動装置を独立して並行に配置したものがある。この従来の技術のボール回動移送装置を縦方に設置して吊下げ型スライドレールとして使用することも考えられる。ただし、吊下げ型にした場合は、スライドレールを２組も設置する必要があり、また装置自体が大型になってしまう欠点があった。
さらに、従来技術のボール回動移送装置を水平に設置して引き扉をボール回動移送装置に懸架する方法も考えられるが、ボールが側面でアウターメンバと当接するために、引き扉の荷重がアウターメンバーのボール受け部分に集中する為に、耐久性に乏しい欠点があり、従来のスライドレールは吊り下げ型のスライドレールには安易に利用できないものであった。
【０００４】
吊下げ型スライドレールに上記のような構成のボール回動移送装置を組み込むことにより、従来のスライドレールよりも耐久性が高いスライドレールを構成することが可能となるため、吊下げ型に応用が可能であるボール回動移送装置、すなわちインナー可動部の開発が待たれていた。
【０００５】
【発明が解決しようとする課題】
上記問題を解決するために、本発明は吊り下げて使用する形式のスライドレールであって、かつ荷重のかかる扉等を懸架できる耐久性のある構造の吊り下げ型のスライドレールとして、インナーメンバとボールリテイナを合体した従来のスライドレールよりも耐久性が高いスライドレールであるインナー可動部を装備したスライドレールの提供を目的としている。
【０００６】
【課題を解決するための手段】
上記課題を達成するために本発明に係るインナー可動部及びそれを装備したスライドレールは、インナー可動部が、アウターメンバとインナーメンバとボールとからなる扉等を懸架する吊下げ型スライドレールであって、ボールを誘導する上部溝と下部溝の２本の溝を両側面にそれぞれ凹設した直方体のインナーメンバと、該インナーメンバの前後両端に配置され上部溝から前記下部溝へ若しくは前記下部溝から前記上部溝へボールを１８０度変換誘導する円弧状の溝を凹設した誘導部と、前記上部溝と前記下部溝と前記円弧状の溝に配置する複数のボールと、前記インナーメンバからボールが離脱することを防止するために下部がインナーメンバ内側に曲げられている矩形の平板とからなる構成である。
【０００７】
また、インナーメンバの下部溝は、ボールがアウターメンバに当接して動作するように前記インナーメンバの下部の両角に凹設されている構成である。
さらに、ボールは、スムーズに動作するように金属製のボールと樹脂製のボールを交互に配置することができる。
本発明に係る吊下げ型スライドレールは、アウターメンバと、ボールと、複数のボールを装着する上下部溝が両側面に凹設された直方体のインナーメンバおよび上部溝と下部溝とを連結する誘導部と、から構成されるインナー可動部とからなる構成である。
【０００８】
【作用】
本発明に係るインナー可動部及びそれを装備したスライドレールは、インナーメンバの両側面に凹設した上下の溝と、誘導部に凹設した溝に複数ボールを配置して、さらに平板で側面からボールが離脱しないように固定することにより、ボールが溝を周回して動作することが可能となる。また、インナーメンバの下部溝はインナーメンバの下側両角に長手方向に水平に凹設されており、平板がインナーメンバ内側のほうに曲げられて設置されるのでインナー可動部の下側が開口となり、ボールがインナー可動部の下側でアウターメンバと当接することが可能となる。このような構造とすることにより、ボールリテイナが不要となり、かつインナーメンバが複数の回動するボールを抱合保持しているので、インナーメンバに扉等の重量のある懸架物を吊り下げても破損するおそれのない耐久性のあるスライドレールの構造となる。
【０００９】
【発明の実施の形態】
以下に本発明を図面に示す実施例を用いて詳細に説明する。図１（ａ）（ｂ）は本発明に係るインナー可動部の正面図であり、図２はインナー可動部の図１におけるＡ−Ａ断面図である。図３はインナーメンバの両側面の下端部に設けられた下部溝の拡大図であり、図４は本発明のインナ可動部を使用したスライドレールの側面図である。さらに、図５は従来のスライドレールのボール回動移送装置である。
本発明にかかるインナー可動部１０は、インナーメンバ２０と、誘導部３０と、ボール４０と、平板５０とからなり、また、吊り下げ型のスライドレール１２は、アウターメンバ６０と、前記インナー可動部１０と、複数のボール４０とからなる。
【００１０】
図１（ａ）及び図２で示すように、インナーメンバ２０は、細長の直方体からなり、長手方向両側面に上部溝２２と下部溝２４を凹設した構成である。上部溝２２は、インナーメンバ２０の両側面上部に長手方向に水平に凹設される溝であり、内部にボール４０を格納し、ボールを回動自在に前後に誘導する。下部溝２４は、インナーメンバの両側面下部に長手方向に水平に凹設される溝である。また、図３に示すように、下部溝２４は、インナーメンバ側面の下部の角に凹設する。これは、アウターメンバと係合してボール４０がアウターメンバと当接し、アウターメンバの移動に対してインナーメンバが摩擦によりアウターメンバの移動と同時に移動しないようにボールで摩擦を回避して独自の移動を確保するための構造とするためであり、下部溝２４がボール走行面となる構成である。
【００１１】
誘導部３０は、細長の直方体のインナーメンバ２０の前後両端にネジ等の結合具により個別に装着されるボール誘導部であり、この実施例では、片方の端部に一対の溝が凹設されている誘導部３０が装着されている。誘導部３０にはボール４０を上部溝２２から下部溝２４若しくは下部溝２４から上部溝２２に回転移動することを誘導しボールの移動方向を１８０度方向転換するもので、円弧状の溝３２が凹設されている。また、誘導部３０は、誘導溝３２を左右に２つ並んだ状態で凹設した構成とすることも可能であり、そのような構成の誘導部ならインナーメンバ２０の両端に１つづつ装着すれば良い。
図１（ｂ）に示す実施例は、４角にそれぞれ誘導部を装着する構造であり、この実施例では４つの誘導部３０を装着できるように、インナーメンバ２０の両端の中央が誘導部３０を両脇に配置するために突出した構造となっている。
【００１２】
ボール４０は、球状のボールであり、上部溝２２および下部溝２４および誘導溝３２に間隙なく充填配置される。配置される複数のボール４０の個数は、溝の隙間が埋まる個数を配置することが望ましい。また、ボール４０は、すべて金属製で構成しても良いが、金属製の球が衝突する騒音を考慮すると樹脂製のボールを金属製のボールの中間に交互に配置することが望ましい。これによりスライドレールの移動させる時の騒音を和らげる効果がある。より詳細には、樹脂製のボールは金属製のボールよりも一回り大きい径のボールを使用するのが望ましい。即ち、樹脂製のボールはスライドレールに荷重のある扉等を懸架して使用すると、インナー可動部１０にかかる荷重で、アウターメンバの下側走行面に押しつけられ、次第に潰れて小さくなるためである。樹脂製のボールは金属製より一回り大きく形成しても、荷重により樹脂製のボールが潰れた際に金属製のボールと同程度の大きさとなる。
【００１３】
平板５０は、インナーメンバ２０の上部溝２２と下部溝２４に配置したボール４０が離脱しないように保持するためにインナーメンバの両側面に装着するものであり、インナーメンバ２０の両側面に螺子等で堅固に装着する。また、平板５０は主に矩形の薄板からなり、図２に示すように下部溝２４に当接する平板下側でインナーメンバの側（内側）に曲げられている。これは下部溝２４に配置されたボール４０が落下脱落することを防止するためのものである。また、図３に示すように平板下側を外側に湾曲させても良い。
【００１４】
本発明のインナー可動部を装備したスライドレール１２を図４により詳細に説明する。本発明のインナー可動部１０は、従来の吊下げスライドレールのインナーメンバとボールリテーナの両方の機能を併せ持つ構成であるので、インナー可動部１０をアウターメンバ６０に包含させることにより吊下げ型スライドレール１２の構成とすることが可能である。また、インナー可動部１０はインナーメンバの機能も併せ持つので、懸架する引き扉等を固定し摺動動作させる。
アウターメンバ６０は、下に口を開いた略コの字型の形状であり、両側の下端は内側に折り曲げられボール４０が走行する下側ボール走行面６２を構成している。ボールで摺動面の摩擦を吸収しているので、アウターメンバの移動とインナー可動部の移動とは摩擦による直接的な同時の移動はなく、懸架された扉は、アウターメンバの中を抱合された状態で滑らかに移動する。
【００１５】
このインナー可動部を使用したスライドレール１２は、アウターメンバ６０がインナー可動部１０を内包する構成であり、インナーメンバの下側溝２４に配置されているボール４０がアウターメンバ６０の下側ボール走行面６２に当接して動作する構成である。ボール４０は、インナー可動部１０の進行方向最後端のボールから順番に誘導部３０の溝３２を通りインナーメンバ２０の上部溝２２に送入されていく。逆に進行方向最先端では、上部溝２２から送出されたボール４０が誘導部３０の溝３２を通りインナーメンバ２０の下部溝２４に順次送入されていく構成である。この構成にすることにより、ボールは無限軌道となり、インナー可動部１０はアウターメンバ６０の端から端まで動作が可能となる。
【００１６】
引き扉（図示しない）は、インナー可動部とボルトや係合部材等により確固に固定され、アウターメンバ６０はボルト等（図示しない）で鴨居や天井等に堅固に装着されるものである。
本発明のインナー可動部１０は、単体で吊下げ型スライドレールに組み込むことが可能であるが、複数のインナー可動部１０を用いてアウターメンバ６０に包含させて一枚の扉を懸架する構成としてもよい。また、２本のスライドレールを平行に設置して吊下げ型ダブルスライドレールとすることも可能である。もちろん複数のスライドレールを平行に設置する構成も可能である。
【００１７】
本発明のインナー可動部とそれを装備したスライドレールは、ボールの軌道が無限軌道となる吊下げ型スライドレールを提供できるため、重荷重の吊り下げ扉等の特殊な用途にも高性能のスライドレールを用いることが可能となる。従来のボール回動移送装置等では重たい吊り下げ扉等の懸架には耐えられなかったが、このインナー可動部は吊下げ型スライドレールに組み込み使用する構成であるので耐久性が高く、壊れにくい利点がある。さらに、ボールを樹脂製とすることで騒音を防止することも可能となる。
【００１８】
【発明の効果】
上記詳述した通り、本発明のインナー可動部及びそれを使用したスライドレールは以下のような効果を奏する
１．インナー可動部の構造を一新して、損傷し易いボールリテイナを構成部材から除去することができたので耐久性が向上した。また、インナーメンバと誘導部と複数のボールと保護の平板とからなる簡単な構成要素からなる為に、安価に提供することができる利点がある。
２．下部溝をインナーメンバの下部の両角に長手方向に平行に凹設したことにより、ボールが確実にアウターメンバに当接することが可能となり、スムーズに動作することが可能となった。
３．金属製のボールと樹脂製のボールを交互に配置することにより、騒音を防止することが可能となる。
４．本発明のスライドレールは、インナー可動部をアウターメンバに抱合させた構造であり、簡単な構造でありながら、従来は実現の出来なかった耐荷重性に優れた小型な吊下げ型スライドレールを安価で提供することが可能となる点で画期的である。
【図面の簡単な説明】
【図１ａ】  本発明に係るインナー可動部の正面図
【図１ｂ】  本発明に係るインナー可動部の平面図
【図２】  インナー可動部の側面図
【図３】  下部溝の拡大図
【図４】  本発明のインナ可動部を使用したスライドレールの側面図
【図５】  従来のボール回動移送装置
【符号の説明】
１０      インナー可動部
１２      吊下げ型スライドレール
２０      インナーメンバ
２２      上部溝
２４      下部溝
３０      誘導部
３２      溝
４０      ボール
５０      平板
６０      アウターメンバ
６２      下側ボール走行面
【図１ａ】
0003682923.tif 000002
【図１ｂ】
0003682923.tif 000003
【図２】
0003682923.tif 000004
【図３】
0003682923.tif 000005
【図４】
0003682923.tif 000006
【図５】
0003682923.tif 000007